【手続補正書】
【提出日】令和3年11月19日(2021.11.19)
【手続補正１】
【補正対象書類名】明細書
【補正対象項目名】全文
【補正方法】変更
【補正の内容】
【発明の詳細な説明】
【発明の名称】産業用パーソナルコンピュータ
【技術分野】
【０００１】  本発明は、産業用パーソナルコンピュータ（産業用ＰＣまたはＩＰＣ）およびＩＰＣの製造方法に関する。
【背景技術】
【０００２】  産業用ＰＣは、産業環境、特にファクトリオートメーション環境でよく使用される。このような環境では、ＩＰＣが標準のＰＣよりも確実に動作することが望ましい場合がある。特に、望まないＩＰＣの遮断を回避することが重要になる場合がある。
【先行技術文献】
【特許文献】
【０００３】  特許文献ＵＳ  ２０１２／２４３１６０  Ａ１は、複数の独立したデスクトップコンピュータモジュールをサポートするプラットフォームを提供する適応コンピューティングシステムを公開している。【０００４】  特許文献ＣＮ  ２０５０２８２１７  Ｕは、例えば、ホストモジュール、放熱モジュール、ストレージモジュール、電源モジュール、および無停電電源装置（ｕｎｉｎｔｅｒｒｕｐｔｉｂｌｅ  ｐｏｗｅｒ  ｓｕｐｐｌｙ、ＵＰＳ）モジュールを含む、複数の積層コンピュータモジュールを含む積層コンピュータの本体を公開している。【０００５】  特許文献ＵＳ  ２０１０／０３２１８８５  Ａ１は、ファスナーによって互いに固定された複数の積層ユニットを含むモジュラーコンピュータを公開している。ユニットには、例えば、メインボード部、電源部、ＣＰＵ等が含まれる。【０００６】  特許文献ＤＥ  １０  ２０１６  １０６  ２４５  Ｂ３は、キーボードおよびディスプレイを備えたベースモジュール、ならびに少なくとも１つの拡張モジュールを含むいくつかのモジュールを含むサーバー装置を公開している。ベースモジュールと拡張モジュールはそれぞれ独自のハウジングを有する。
【発明の概要】
【発明が解決しようとする課題】
【０００７】  本発明の１つの目的は、改善されたＩＰＣを提供することである。 さらなる目的は、ＩＰＣを製造するための改善された方法を提供することである。
【課題を解決するための手段】
【０００８】  したがって、本発明は、独立請求項に記載のＩＰＣおよびＩＰＣの製造方法を提供する。本発明のその他の態様は、従属請求項に示されている。【０００９】  第１の態様によれば、産業用パーソナルコンピュータ（ＩＰＣ）が提供される。ＩＰＣは、  第１の電子部品、内部電力供給装置および第１の電気接続部を有する第１のハウジングモジュールと、  第２の電子部品および第２の電気接続部を有する第２のハウジングモジュールと、を含み、  第１および第２のハウジングモジュールは積層方向に沿って積層され、  第１および第２の電気接続部は、少なくとも第１および第２のハウジングモジュール間で電力を伝送するために、積層方向に沿って接続バスを形成し、  第２の電子部品は、無停電電源装置（ＵＰＳ）である。【００１０】  ＩＰＣは、例えば、生産システムの制御等、産業環境で使用することができる。第１のハウジングモジュールは、マザーボードおよび／または中央処理装置等のＩＰＣの主要部品を第１の電子部品として含んでも良い。第１のハウジングモジュールは、第１の電子部品、内部電力供給装置および第１の電気接続部を保持するケーシングを含んでも良い。内部電力供給装置は、IPCのバッテリーであっても良い。特に、内部電力供給装置は、ＩＰＣが正常に動作しているとき、ＩＰＣ、特に第１および／または第２の電子部品に電気エネルギーを提供する。【００１１】  第２のハウジングモジュールは、ＩＰＣの追加のモジュールであっても良い。実施形態において、第１および第２のハウジングモジュールは、積層方向に沿って着脱可能に積層される。積層位置において、第１および第２のハウジングモジュールは、ねじ、クランプ等を使用して互いに固定されても良い。第２のハウジングモジュールは、第２の電子部品および第２の電気接続部を保持するケーシングを含んでも良い。【００１２】  第１および第２の電気接続部は、第１および第２のハウジングモジュールが正確に積層されたときに互いに接触し、それによって接続バスを形成するように配置することができる。接続バスは、第１および第２のハウジングモジュール間で電力および／または通信データを伝送するために使用することができる。第１および／または第２の電気接続部は、プリント回路基板であっても良い。【００１３】  ＩＰＣの第２のハウジングモジュールは、ＵＰＳ装置を構成する追加の層を形成することができる。ＵＰＳ装置は、ＵＰＳ電源、例えばＵＰＳバッテリー、および／またはそれを制御する制御部（電源管理コントローラ）を含んでも良い。第２のハウジングモジュールは、第１のハウジングモジュールを含む既存のＩＰＣに追加されてもよい。これにより、特にＵＰＳ装置の機能を追加することにより、ＩＰＣの機能を拡張することができる。ＩＰＣに第２のハウジングモジュールを提供することで、ＩＰＣにＵＰＳ装置を簡単に提供することができる。これにより、ＩＰＣを改善することができる。【００１４】  実施形態によれば、ＵＰＳ装置は、内部電力供給装置が故障したとき、および／または内部電力供給装置が切断されたとき、ＩＰＣの電力供給が遮断されることを防止するように、接続バスを介してＩＰＣに電力を供給するように構成される。【００１５】  ���ＰＳ装置は、ＩＰＣが予期しない停止をしないこと、およびＩＰＣがより確実に動作することを確保することができる。特に、ＵＰＳ装置は、内部電力供給装置が動作を停止したり、および／または故障により誤動作したり、ＩＰＣから切断されたりした場合に、ＩＰＣへの電力供給を引き継ぐことができる。ＵＰＳ装置を追加すると、ＩＰＣをより確実に動作させることができる。これは、ＩＰＣの故障が発生してはならない産業環境で特に重要である。特に、IPCで提供されるUPS装置により、データが失われないことが確保され、例えば、生産システム等のIPCによって制御されるシステムが遮断されることなく正しく動作することが確保される。【００１６】  実施形態において、ＵＰＳ装置と内部電力供給装置とは、接続バスを介して電力を伝送できるように接続されている。例えば、ＵＰＳ装置は内部電力供給装置によって充電することができる。ＵＰＳ装置に電力を供給するために追加の配線を提供する必要がないため、これにより配線を減らすことができる。【００１７】  さらなる実施形態によれば、ＩＰＣはさらに、  内部電力供給装置および/または接続バスの内部電圧を監視することと、  第２のハウジングモジュール内の第２の電子部品の存在を検出することと、  ＩＰＣの配電を制御して、第２の電子部品の着脱中に内部配電が影響を受けないようにすることと、  内部電源によるＵＰＳ装置の充電を制御することと、および／または  ＩＰＣのシャットダウンおよび／または起動操作を制御することと、  を実施する電源管理コントローラを含む。【００１８】  電源管理コントローラは、第２のハウジングモジュールに設けることができる。実施形態において、それは、ＵＰＳ装置の一部である。あるいは、電源管理コントローラはＵＰＳ装置の動作を制御することができる。例えば、電源管理コントローラは、内部電力供給装置および／またはＵＰＳ装置からＩＰＣへの電力の供給を管理する。【００１９】  特に、電源管理コントローラは、内部電力供給装置および／またはＵＰＳ装置が正確に動作するかどうかを判断するために、内部電力供給装置および／または接続バスにおける内部電圧を監視する。例えば、電源管理コントローラは、内部電力供給装置の故障または切断を検出し、それに応じてＩＰＣの電力供給を引き継ぐようにＵＰＳ装置を制御することができる。【００２０】  さらに、電源管理コントローラは、第２のハウジングモジュール内の第２の電子部品の存在を検出し、それに応じてＩＰＣへの電力の供給を制御することができる。【００２１】  電源管理コントローラは、第２の電子部品の着脱中に内部配電が影響を受けないように、ＩＰＣの配電を制御することもできる。特に、第２の電子部品（ＵＰＳ装置）は、ＩＰＣの動作中にＩＰＣの動作に影響を与えることなく着脱することができる。第２の電子部品は、例えば、第２のハウジングモジュールが第１のハウジングモジュールに積層されるか、またはそこから取り外されるときに着脱される。【００２２】  電源管理コントローラは、内部電力供給装置によるＵＰＳ装置の充電を制御することができる。例えば、内部電力供給装置の監視結果に応じて、ＵＰＳ装置の充電率を制御することができる。【００２３】  電源管理コ��トローラはさらに、ＩＰＣのシャットダウンおよび／または起動操作を制御することができる。例えば、電源管理コントローラが、内部電力供給装置が故障している、および／またはＩＰＣから切断されていると判断した場合、電源管理コントローラは、ＵＰＳ装置を制御してＩＰＣの電力供給を引き継ぎ、さらにＩＰＣのシャットダウンを開始することができる。ＵＰＳ装置の容量が不十分になると、特に特定のしきい値を下回ると、シャットダウンが開始される。特に、シャットダウン操作は、データが失われないことを確保する安全なシャットダウン操作である。【００２４】  さらに、電源管理コントローラは、内部電力供給装置がＩＰＣに再接続されたこと、および／またはそれが正確に動作していることを認識すると、ＩＰＣの起動操作を制御することができる。【００２５】  さらなる実施形態によれば、接続バスはさらに、ハウジングモジュールおよび／または電子部品の間で制御信号を送信するように設けられる。特に、制御信号は、電源管理コントローラによって発信される信号である。制御信号はまた、電源管理コントローラを制御するためにＩＰＣの中央処理装置によって発せられる信号であっても良い。【００２６】  さらなる実施形態によれば、接続バスは、ＰＣＩバス、ＰＣＩエクスプレスバス、ＵＳＢプロトコルバスおよび／またはＩ２ｃプロトコルバスを含む。ここで、ＰＣＩは「ペリフェラル 部品 インターコネクト」の略であり、ＵＳＢは「ユニバーサル・シリアル・バス」の略である。【００２７】  さらなる実施形態によれば、第１および第２のハウジングモジュールは、積層方向に沿って互いの上に積層され、互いに向き合う第１および第２のハウジングモジュールの表面は、同じサイズを有する。第１および第２のハウジングモジュールは両方とも、特に同じサイズのベースを有する、直方体であってもよい。【００２８】  さらなる実施形態によれば、第２のハウジングモジュールは、接続ポートを有する第２の電子部品を有する引き出し、引き出しを受け入れるスロット、および積層方向に垂直な挿入方向に沿って引き出しをスロットに挿入できる開口を含み、引き出しがスロットに配置されているとき、接続ポートと第２の電気接続部は互いに電気的に結合する。【００２９】  第２の電子部品（ＵＰＳ装置）は、接続ポートを含んでも良い。第２のハウジングモジュールの引き出しを使用して、２番目のハウジングモジュールに挿入することができる。第２の電子部品を保持する引き出しがスロットに挿入された状態では、第２の電子部品の接続ポートが第２の電気接続部に結合または係合する。ＵＰＳ装置は、引き出しを使用して、２番目のハウジングモジュールに簡単に挿入し、またそこから取り外すことができる。したがって、２番目のハウジングモジュールに引き出しを提供すると、ＵＰＳ装置を使用したＩＰＣの柔軟な提供が容易になる。【００３０】  さらなる実施形態によれば、第２のハウジングモジュールは、追加の電子部品を含む少なくとも１つの追加の引き出しと、追加の引き出しが挿入可能な少なくとも１つの追加の開口とをさらに備える。【００３１】  第２のハウジングモジュールは、追加の電子部品を挿入するための少なくとも１つの追加の引き出��を含んでも良い。追加の電子部品は、追加の引出しが第２のハウジングモジュールの追加のスロットに挿入されたときに第２の電気接続部と接続するように設けられた追加の接続ポートを含んでも良い。実施形態では、追加の引き出しは、挿入方向と反対の方向に沿って第２のハウジングモジュールに挿入される。追加の引き出しにより、追加の電子部品を第２のハウジングモジュールに簡単に追加できるため、ＩＰＣの機能がさらに改善される。【００３２】  さらなる実施形態によれば、追加の電子部品は、電源管理コントローラを含む。【００３３】  さらなる実施形態によれば、ＩＰＣは、互いに積層された少なくとも３つのハウジングモジュールを含む。ここで、第１のハウジングモジュールは、第１の電子部品としてＩＰＣのマザーボードを含み、第２のハウジングモジュールは、第２の電子部品としてＵＰＳ装置を含み、第３のハウジングモジュールは、第１および／または第２のハウジングモジュールを冷却する冷却装置を含む。【００３４】  例えば、ＩＰＣは、最下層としての第２のハウジングモジュール、上層としての第３のハウジングモジュール、および第２と第３のハウジングモジュールの間に設けられた第１のハウジングモジュールを含む。冷却装置は、他のハウジングモジュールが過熱しないように確保することによって、それらが正確に機能するようにする。実施形態では、ＩＰＣは、ＩＰＣのさらなる電子部品を保持する第４のハウジングモジュールをさらに含む。【００３５】  さらなる実施形態によれば、第１、第２および／または第３のハウジングモジュールは直方体形状を有し、および／または第１、第２および／または第３のハウジングモジュールのサイズは互いに等しい。【００３６】  さらなる実施形態によれば、ＵＰＳ装置は、内部非常電源を提供するように適合されている。【００３７】  第２の態様によれば、第１の態様または第１の態様の実施形態によるＩＰＣのハウジングモジュールが提供され、ハウジングモジュールは、接続部と、ＵＰＳ装置である電子部品とを含む。特に、ハウジングモジュールは、前記第２のハウジングモジュールに対応する。実施形態では、それは、前記引き出しを含む。【００３８】  第３の態様によれば、IPCの製造方法が提供される。この方法は、  ＩＰＣの第１のハウジングモジュールと第２のハウジングモジュールを積層方向に沿って積層し、第１のハウジングモジュールは第１の電子部品、内部電力供給装置および第１の電気接続部を有し、第２のハウジングモジュールは、第１および第２の電気接続部が、第１および第２のハウジングモジュール間で電力を伝送するために積層方向に沿って接続バスを形成するように、第２の電気接続部および第２の電子部品を有し、  第２の電子部品はＵＰＳ装置である方法。【００３９】  実施形態において、第３の態様による方法は、第１の態様による、または第１の態様の実施形態によるＩＰＣを製造するために使用される。【００４０】  第１の態様による、または第１の態様の実施形態による、ＩＰＣを参照して説明される実施形態および特徴は、必要な変更を加えて、第３の態様による方法に適用される。【００４１】  本発明のさらなる可能な実施または課題を解決するための代替方法��また、本明細書では明示的に言及されていない、実施形態に関してこれ以前またはこれ以降に説明される特徴の組み合わせを包含する。当業者はまた、本発明の最も基本的な形態に個々のまたは独立した態様および特徴を追加することができる。【００４２】  本発明のさらなる実施形態、特徴および利点は、添付の図面と併せて、以下の説明および従属請求項からより明確になる。
【図面の簡単な説明】
【００４３】
【図１】第１の実施形態によるＩＰＣを示す図である。
【図２】第２の実施形態によるＩＰＣを示す図である。
【図３】図３Ａおよび３Ｂは第２のハウジングモジュールの例を示す図である。
【図４】第３の実施形態によるＩＰＣを示す図である。
【図５】第２の実施形態に係るＩＰＣ内の接続例を示す図である。
【図６】ＩＰＣの動作の第１の例を示す図である。
【図７】ＩＰＣの動作の第２の例を示す図である。
【図８】ＩＰＣの動作の第３の例を示す図である。
【図９】ＩＰＣの動作の第４の例を示す図である
【図１０】第４の実施形態によるＩＰＣを示す図である。
【発明を実施するための形態】
【００４４】  図中、別段の指示がない限り、同様の符号は、同様または機能的に同等の構成要素を示す。
【００４５】  図１は、第１の実施形態による産業用パーソナルコンピュータ（ＩＰＣ）１の平面図を示している。  ＩＰＣ１は、垂直積層方向ＳＤに沿って互いの上に積層された第１のハウジングモジュール１０および第２のハウジングモジュール２０を含む。
【００４６】  第１のハウジングモジュール１０は、第１の電子部品１１と、内部電力供給装置１２と、第１の電気接続部１３とを含む。第１の電子部品１１と内部電力供給装置１２は、第１の内部バス１４を介して第１の電気接続部１３に接続される。
【００４７】  第１の電子部品１１は、ＩＰＣ１のマザーボードである。したがって、第１のハウジングモジュール１０は、ＩＰＣ１のメインのハウジングモジュールを形成する。内部電力供給装置１２は、通常動作状態においてＩＰＣ１全体に電力を供給するＩＰＣ１の内蔵バッテリーである。
【００４８】  第２のハウジングモジュール２０は、ＩＰＣ１の追加のハウジングモジュールまたは追加の層を形成する。それは、第１のハウジングモジュール１０に着脱可能に取り付け可能である。第２のハウジングモジュール２０は、第２の内部バス２４を介して互いに接続された第２の電子部品２１および第２の電気接続部２３を含む。第２の電子部品２１は、ＵＰＳ装置である。ＵＰＳ装置２１は、ＵＰＳバッテリーを含む。
【００４９】  図１に示す積層状態では、第１および第２の電気接続部１３、２３は、積層方向ＳＤに沿って接続バス２を形成するように結合する。接続バス２は、ＰＣＩバスである。接続バス２は、第１のハウジングモジュール１０と第２のハウジングモジュール２０との間の電力の伝送を可能にする。詳細には、ＵＰＳ装置２１のＵＰＳバッテリーは、接続バス２を介して内蔵バッテリー１２によって提供される２４Ｖ電流によって充電される。
【００５０】  さらに、ＵＰＳ装置２１のＵＰＳバッテリーは、内蔵バッテリー１２が故障したとき、および／またはＩＰＣ１から切断されたときに、接続バス２を介してＩＰＣ１全体に電力を供給することができる。これにより、ＩＰＣ１の電力の遮断を防止することができ、ＩＰＣ１の動作をより信頼できるものにする。
【００５１】  図２は、第２の実施形態によるＩＰＣ１００を示す。ＩＰＣ１００は、図１を参照して既に説明した第１のハウジングモジュール１０、第２のハウジングモジュール２０’、第３のハウジングモジュール３０および第４のハウジングモジュール４０を含む。
【００５２】  第２のハウジングモジュール２０の部材に加え、第２のハウジングモジュール２０’は、ＵＰＳ装置２１のＵＰＳバッテリー６４を制御する電源管理ユニット２８を含む。
【００５３】  第３のハウジングモジュール３０は、冷却層であり、ＩＰＣ１００の上層を形成する。それは、ＩＰＣ１００の残りのハウジングモジュール１０、２０’および４０を冷却するための冷却ファンを備えた冷却装置３１を含む。第４のハウジングモジュール４０は、第１のハウジングモジュール１０と第２のハウジングモジュール２０’との間に配置される。それは、第４の電子部品（図示せず）を含み、第１および第２の電気接続部１３、２３とともに接続バス２を形成する第４の電気接続部（図示せず）によって第１および第２のハウジングモジュール１０、２０’に接続される。
【００５４】  図２に示すように、各ハウジングモジュールは直方体の形状をしており、積層された状態で互いに接触するハウジングモジュール１０、２０’、３０、４０の表面は同じサイズを有する。ＩＰＣ１００自体は、直方体の形状をしている。必要に応じて、各ハウジングモジュール１０、２０’、３０、４０を個別に取り外したり、ＩＰＣ１００に追加したりすることができる。これにより、非常に可変なＩＰＣ１００が提供される。特に、第２のハウジングモジュール２０’を追加の層として追加することにより、ＵＰＳ装置２１を既存のＩＰＣ１００に容易に追加することができる。
【００５５】  図３Ａおよび３Ｂは、第２のハウジングモジュール２０’の例を示す。第２のハウジングモジュール２０’は、開口２５と、第２のハウジングモジュール２０’の対向する面に配置された追加の開口２５’とを含む。第２のハウジングモジュール２０’の内部には、引き出し２７および追加の引き出し２７’をそれぞれ受け入れるスロット２６および追加のスロット２６’が設けられている。引き出し２７および追加の引き出し２７’は、それぞれ開口２５および開口２５’を介して第２のハウジングモジュール２０’に挿入することができる。
【００５６】  図４は、第３の実施形態によるＩＰＣ１０１を示す。 ＩＰＣ１０１は、第４のハウジングモジュール４０を含まないことを除き、第２の実施形態によるＩＰＣ１００と同一である。代わりに、第１および第２のハウジングモジュール１０、２０ ‘は、ＩＰＣ１０１内で互いに直接接触している。
【００５７】  図４は、引き出し２７が開口２５を介して第２のハウジングモジュール２０’に挿入される方法を示している。詳細には、引き出し２７は、積層方向ＳＤに垂直または水平である挿入方向ＩＤに沿って、開口２５を介して第２のハウジングモジュール２０’に押し込まれる。第２のハウジングモジュール２０’の内部において、引き出し２７は、案内レール６２（図３Ａおよび３Ｂ）に沿って案内される。
【００５８】  ＵＰＳバッテリー６４を含むＵＰＳ装置２１は、引き出し２７に配置することによって、第２のハウジングモジュール２０’に挿入される。図４に示すように、ＵＰＳ装置２１は、その一端側に接続ポート２９を含む。ＵＰＳ装置２１が引き出し２７の内部に配置され、第２のハウジングモジュール２０’に挿入され、引き出し２７が第２のハウジングモジュール２０’に完全に挿入されると、接続ポート２９は、第２のハウジングモジュール２０’の第１の電気接続部１３と結合する。
【００５９】  追加の引き出し２７’は、同様の方法で追加のスロット２６’に挿入することができる。すなわち、挿入方向ＩＤと反対の方向に沿って、追加の開口２５’を介して第２のハウジングモジュール２０’に挿入される。追加の引き出し２７’は、追加の電子部品として電源管理コントローラ２８を保持する。
【００６０】  図５は、ＩＰＣ１０１内の接続の例を示す。第２のハウジングモジュール２０’は、ＵＰＳバッテリー６４と、回路基板６３上に設けられ、第２のハウジングモジュール２０’のスロット２６の内部に挿入された接続ポート２９とを備えるＵＰＳ装置２１を含む。
【００６１】  接続ポート２９は、接続バス２と結合する。接続バス２は、第１および第２のハウジングモジュール１０、２０’を介して積層方向ＳＤに沿って垂直に延在し、それによって、第１のハウジングモジュール１０と第２のハウジングモジュール２０’を電気的に接続する。
【００６２】  さらに、図５では、電源管理コントローラ２８は、第２のハウジングモジュール２０’の追加のスロット２６’に配置される。追加の接続ポート６１は、接続バス２と結合し、プリント回路基板６５を介して電源管理コントローラ２８を接続バス２と電気的に接続する。ＩＰＣ１０１の内蔵バッテリー１２は、接続バス２を介して電源管理コントローラ２８に電力を供給する。
【００６３】  接続バス２は、ハウジングモジュール１０、２０’間で制御信号および電力を送信するために使用される。制御信号および電力の送信は、電源管理コントローラ２８によって調整され、その機能については、以下、図６〜９を参照して説明する。
【００６４】  図６は、ＩＰＣ１０１の内蔵バッテリー１２が切断されたＩＰＣ１０１の動作の第１の例を示す。ステップＳ０において、ＩＰＣ１０１は正確に動作する。これは、内蔵バッテリー１２がＩＰＣ１０１全体に電力を供給することを意味する。特に、内蔵バッテリー１２は、接続バス２を介してＵＰＳ装置２１および電源管理コントローラ２８に２４Ｖ電圧を提供する。
【００６５】  ステップＳ１では、内蔵バッテリー１２がＩＰＣ１０１から切断される。この切断は、２４Ｖ電圧の遮断を検出するＵＰＳ装置２１の電源管理コントローラ２８によって検出される。内蔵バッテリー１２の切断を考慮して、電源管理コントローラ２８は、ステップＳ２で内蔵バッテリー１２の切断を示すステータス情報を第１のハウジングモジュール１０のマザーボード１１に送信する。このステータス情報は、接続バス２を介して送信される。
【００６６】  ステップＳ３において、マザーボード１１は、ステータス情報を受信する。ステップＳ４において、ＩＰＣ１０１は、受信した内蔵バッテリー１２の切断を示すステータス情報を考慮して、低電力モードに入る。
【００６７】  ステップＳ５において、電源管理コントローラ２８は、ＩＰＣ１０１のシャットダウンが開始されなければならないまでにどれだけの時間が残っているかを判断する。残り時間は、ＵＰＳ装置２１の充電状態に基づいて判断することができる。
【００６８】  残り時間が経過する前に内蔵バッテリー１２が接続された場合、つまり、電源管理コントローラ２８が内蔵バッテリー１２からの２４Ｖ電圧が戻ったことを検出すると（ステップＳ６）、電源管理コントローラ２８は内蔵バッテリー１２が接続されていることを示すステータス更新をマザーボード１１に送信する。マザーボードはステップＳ８でこのステータス情報を受信し、したがって、ステップＳ９でＩＰＣ１０１は通常電力モードに入る。
【００６９】  しかしながら、残り時間が経過する前に内蔵バッテリー１２が接続されない場合、電源管理コントローラ２８は、ステップＳ１０でＩＰＣのシャットダウンを開始する。これは、ステップＳ１１でオペレーティングシステム（ＯＳ）をシャットダウンするために接続バス２を介してシャットダウンコマンドを送信することによって行われる。シャットダウン操作自体は、ステップＳ１２でマザーボード１１によって実行され、最終的にＩＰＣ１０１の電源がオフになる（ステップＳ１３）。
【００７０】  電源管理コントローラ２８は、シャットダウンがタイムアウトしたときに（ステップＳ１５）、ＩＰＣ１０１がまだ電力供給状態にあることを示すマザーボードからの指示を受信した場合（ステップＳ１４）、シャットダウンのエラーを判断することができる。この場合、電源管理コントローラはシャットダウンを再開することができる（ステップＳ１０）。シャットダウンが繰り返し失敗する場合、電源管理コントローラ２８はステップＳ１６でシャットダウンが失敗したと判断し、マザーボード１１に直接ＩＰＣ１０１の電源をオフにするように指示する。ステップＳ１７において、ＵＰＳ装置２１は、その電源の全ての使用を回避するために低電力モードに入る。
【００７１】  図７は、内蔵バッテリー１２がＩＰＣ１０１に再接続されているが、ＵＰＳバッテリー６４が空である、ＩＰＣ１０１の動作の第２の例を示す。
【００７２】  ステップＳ２０では、ＵＰＳバッテリー６４が空である。ステップＳ２１では、内蔵バッテリー１２が再接続され、ＵＰＳバッテリー６４に接続バス２を介して２４Ｖの電圧が供給される。
【００７３】  ステップＳ２２において、ＵＰＳバッテリー６４は、動作するのに十分な充電状態に達しており、ＵＰＳ装置２１は使用の準備ができている。同時に、ステップＳ２３では、ユーザーがＩＰＣ１０１をオンにする。ＩＰＣ１０１がオンになり、ＵＰＳ装置２１の準備ができると、ステップＳ２４で、ＩＰＣ１０１のオペレーティングシステムが起動する。
【００７４】  具体的には、ＵＰＳ装置２１が起動プロセスにおける望まれない遮断を回避する準備ができる前に、ＯＳの起動は実行されない。そして、ステップＳ２５において、ＩＰＣ１０１が正常に動作し、内蔵バッテリー１２がＩＰＣ１０１に電力を供給し、ＵＰＳ装置２１が緊急時に動作する準備が整う。
【００７５】  図８は、ＩＰＣ１０１の動作の第３の例を示しており、ＵＰＳバッテリー６４は、例えばメンテナンスのためにＩＰＣ１０１から取り外される。ステップＳ０において、ＩＰＣ１０１は、上述したように、正常に動作する。
【００７６】  ステップＳ２６において、マザーボード１１は、ＵＰＳバッテリー６４のメンテナンスが必要であると判断し、メンテナンスモードに入ることによってメンテナンスを開始する。ステップＳ２７において、電源管理コントローラ２８は、ＵＰＳバッテリー６４およびＵＰＳ装置２１全体をＩＰＣ１０１から切断する準備をして切断を行う。切断が行われると（ステップＳ２８）、マザーボード１１にその旨が通知され（ステップＳ２９）、引き出し２７を第２のハウジングモジュール２０’から引き出してＵＰＳ装置２１を引き出し２７から押し出すことにより、ＵＰＳ装置２１がＩＰＣ１０１から取り外される。
【００７７】  ステップＳ２６からＳ３０は、ＩＰＣ１０１がまだ動作している状態で実行される。詳細には、ＵＰＳ装置２１は、接続バス２に沿って、安定した２４Ｖ電圧で、ＩＰＣ１０１を遮断することなく、ＩＰＣ１０１から取り外される。
【００７８】  図９は、ＩＰＣ１０１の動作の第４の例を示し、ここで、説明したように、引き出し２７を第２のハウジングモジュール２０ ‘に挿入することにより、ＵＰＳ装置２１がＩＰＣ１０１に挿入される。ステップＳ３１において、電源管理コントローラ２８は、接続バスを介してマザーボード１１にメッセージを送信することにより、ＵＰＳ装置２１の存在を報告する。マザーボード１１は、ステップＳ３３において、ＵＰＳ装置２１が接続されたことを示すメッセージを受信する。
【００７９】  ステップＳ３２では、接続バス２を介して供給される２４Ｖの電圧がＵＰＳ装置２１に接続される。ＵＰＳバッテリー６４が十分に充電されると、ＵＰＳ装置２１はステップＳ３４で使用可能になる。電源管理コントローラ２８は、ステップＳ３５で前記メッセージを受信するマザーボード１１に適切なメッセージを送信することにより、ＵＰＳ装置２１が準備ができていることを示す。したがって、ステップＳ３６でマザーボード１１はメンテナンスモードを終了し、ステップＳ０でＩＰＣ１０１は正常に動作する。
【００８０】  これにより、ＩＰＣ１０１の動作中にＵＰＳ装置２１を容易にＩＰＣ１０１に挿入することができる。
【００８１】  図１０は、第４の実施形態によるＩＰＣ５０を示す。ＩＰＣ５０は、ＵＰＳバッテリー６４（第２の電子部品）、電源管理コントローラ２８、ハードディスクドライブ５１、ＰＣＩエクスプレス追加カード５２、別のＵＰＳバッテリー５３、別の電源管理コントローラ５４、および、それぞれ電子部品として配置される２つの追加の電子部品５５および５６を備えた８つの引き出しを有する第２のハウジングモジュール６０を含む点でＩＰＣ１０１とは異なる。電子部品６４、２８、５１〜５６のそれぞれは、接続バス５７を介して第１のハウジングモジュール１０に接続される。接続バスは、ＰＣＩエクスプレスバスである。
【００８２】  本発明を好ましい実施形態に従って説明してきたが、全ての実施形態において変更が可能であることは当業者には明らかである。例えば、動作例（図６〜図９）は、ＩＰＣ１０１を例に説明したが、ＩＰＣ１、５０、１００は、適宜動作させることができる。さらに、ＵＰＳ装置２１および電源管理コントローラ２８は、同じ引き出し２７内の第２のハウジングモジュール２０’に挿入することができる。
【符号の説明】
【００８３】１  産業用パーソナルコンピュータ（ＩＰＣ）２  接続バス１０  第１のハウジングモジュール１１  第１の電子部品１２  内部電力供給装置１３  第１の電気接続部１４  第１の内部バス２０  第２のハウジングモジュール２０’  第２のハウジングモジュール２１  第２の電子部品２３  第２の電気接続部２４  第２の内部バス２５  開口２５’  追加の開口２６  スロット２６’  追加のスロット２７  引き出し２７’  追加の引き出し２８  電源管理コントローラ２９  接続ポート３０  第３のハウジングモジュール３１  冷却装置４０  第４のハウジングモジュール５０  産業用パーソナルコンピュータ（ＩＰＣ）５１  ハードディスクドライブ５２  ＰＣＩ  エクスプレス追加カード５３  ＵＰＳバッテリー５４  電源管理コントローラ５５  追加の電子部品５６  追加の電子部品５７  接続バス６０  第２のハウジングモジュール６１  追加の接続ポート６２  案内レール６３  プリント基板６４  ＵＰＳバッテリー６５  プリント基板１００  産業用パーソナルコンピュータ（ＩＰＣ）１０１  産業用パーソナルコンピュータ（ＩＰＣ）ＩＤ  挿入方向ＳＤ  積層方向Ｓ０〜Ｓ３６  方法のステップ 
【手続補正２】
【補正対象書類名】特許請求の範囲
【補正対象項目名】全文
【補正方法】変更
【補正の内容】
【特許請求の範囲】
【請求項１】
第１の電子部品（１１）、内部電力供給装置（１２）および第１の電気接続部（１３）を有する第１のハウジングモジュール（１０）と、  第２の電子部品（２１）および第２の電気接続部（２３）を有する第２のハウジングモジュール（２０、２０’）とを含み、  前記第１および第２のハウジングモジュール（１０、２０、２０’）は、積層方向（ＳＤ）に沿って積層され、  前記第１および第２の電気接続部（１３、２３）は、少なくとも前記第１および第２のハウジングモジュール（１０、２０、２０’）間で電力を伝送するために、積層方向（ＳＤ）に沿って接続バス（２）を形成する、産業用パーソナルコンピュータ（ＩＰＣ）（１、５０、１００、１０１）であって、  前記第２の電子部品（２１）は、無停電電源（ＵＰＳ）装置であり、  前記ＩＰＣ（１、５０、１００、１０１）は、  前記内部電力供給装置（１２）および／または前記接続バス（２）の内部電圧を監視し、  前記第２のハウジングモジュール（２０、２０’）内の前記第２の電子部品（２１）の存在を検出し、  前記第２の電子部品（２１）の着脱中に内部配電が影響を受けないように、前記ＩＰＣ（１、５０、１００、１０１）の配電を制御し、  前記内部電源装置（１２）による前記ＵＰＳ装置（２１）の充電の制御し、および／または  前記ＩＰＣ（１、５０、１００、１０１）のシャットダウンおよび／または起動動作を制御する、  ように設けられた電源管理コントローラ（２８）をさらに備える、産業用パーソナルコンピュータ（ＩＰＣ）（１、５０、１００、１０１）。
【請求項２】
前記ＵＰＳ装置（２１）は、前記内部電力供給装置（１２）が故障したとき、および／または切断されたときに、前記ＩＰＣ（１、５０、１００、１０１）の電源の遮断を防止するように、前記接続バス（２）を介して前記ＩＰＣ（１、５０、１００、１０１）に電力を供給するように構成される、請求項１に記載のＩＰＣ。
【請求項３】
前記接続バス（２）はさらに、前記第１および第２のハウジングモジュール（１０、２０、２０’）および／または前記第１および第２の電子部品（１１、２１）の間で制御信号を送信するように設けられる、請求項１または２に記載のＩＰＣ。
【請求項４】
前記接続バス（２）は、ＰＣＩバス、ＰＣＩエクスプレスバス、ＵＳＢプロトコルバスおよび／またはＩ２ｃプロトコルバスを含む、請求項３に記載のＩＰＣ。
【請求項５】
前記第１および前記第２のハウジングモジュール（１０、２０、２０’）は、前記積層方向（ＳＤ）に沿って互いの上に積層され、前記第１および前記第２のハウジングモジュール（１０、２０、２０’）の互いに面する表面は同じサイズを有する、請求項１〜４のいずれかに記載のＩＰＣ。
【請求項６】
前記第２のハウジングモジュール（２０、２０’）は、前記接続ポート（２９）を備えた前記第２の電子部品（２１）を有する引き出し（２７）と、前記引き出し（２７）を受け入れるスロット（２６）、および前記引き出し（２７）が積層方向（ＳＤ）に垂直な挿入方向（ＩＤ）に沿って前記スロット（２６）に挿入可能である開口部（２５）を備え、前記引き出し（２７）が前記スロット（２６）内に配置されると、前記接続ポート（２９）と前記第２の電気接続部（２３）は互いに電気的に結合する、請求項１〜５のいずれかに記載のＩＰＣ。
【請求項７】
前記第２のハウジングモジュール（２０、２０’）は、追加の電子部品（５１〜５６）を含む少なくとも１つの追加の引き出し（２７’）と、前記追加の引き出し（２７’）が挿入可能である少なくとも１つの追加の開口部（２５’）をさらに含む、請求項６に記載のＩＰＣ。
【請求項８】
前記追加の電子部品（５１〜５６）が前記電源管理コントローラ（２８）を含む、請求項７に記載のＩＰＣ。
【請求項９】
互いに積層された前記第１のハウジングモジュール、前記第２のハウジングモジュールおよび第３のハウジングモジュール（１０、２０、２０’、３０、４０）を含む、請求項１〜８のいずれか一項に記載のＩＰＣであって、前記第１のハウジングモジュール（１０）は、前記ＩＰＣ（１、５０、１００、１０１）のマザーボードを前記第１の電子部品（１１）として含み、前記第２のハウジングモジュール（２０、２０’）は、前記ＵＰＳ装置（２１）を前記第２の電子部品（２１）として含み、前記第３のハウジングモジュール（３０）は、前記第１および／または前記第２のハウジングモジュール（１０、２０、２０’）を冷却する冷却装置（３１）を含むＩＰＣ。
【請求項１０】
前記第１、前記第２および／または前記第３のハウジングモジュール（１０、２０、２０’、３０）は直方体形状を有し、および／または前記第１、前記第２および／または前記第３のハウジングモジュール（１０、２０’、２０、３０）のサイズは互いに等しい、請求項１から９のいずれか一項に記載のＩＰＣ。
【請求項１１】
前記ＵＰＳ装置（２１）は、内部緊急電力を提供するように適合される、請求項１から１０のいずれか一項に記載のＩＰＣ。
【請求項１２】
電気接続部（１３、２３）およびＵＰＳ装置である電子部品（２１）を含む、請求項１〜１１のいずれか一項に記載のＩＰＣ（１、５０、１００、１０１）のハウジングモジュール。
【請求項１３】
積層方向（ＳＤ）に沿ってＩＰＣ（１、５０、１００、１０１）の第１ハウジングモジュール（１０）と第２ハウジングモジュール（２０、２０’）を積層し、  前記第１のハウジングモジュール（１０）は、第１の電子部品（１１）と、内部電力供給装置（１２）と、第１の電気接続部（１３）を有し、  前記第２のハウジングモジュール（２０、２０’）は、第２の電気接続部（２３）および第２の電子部品（２１）を有し、  前記第１および第２の電気接続部（１３、２３）は、前記第１および第２のハウジングモジュール（２０、２０’）間で電力を伝送するために、前記積層方向（ＳＤ）に沿って接続バス（２）を形成するＩＰＣ（１、５０、１００、１０１）の製造方法であって、  前記第２の電子部品（２１）は、ＵＰＳ装置であり、  前記ＩＰＣ（１、５０、１００、１０１）はさらに、  前記内部電力供給装置（１２）および／または前記接続バス（２）における内部電圧を監視し、  前記第２のハウジングモジュール（２０、２０’）内の前記第２の電子部品（２１）の存在を検出し、  前記第２の電子部品（２１）の着脱中に内部配電が影響を受けないように、前記ＩＰＣ（１、５０、１００、１０１）の配電を制御し、  前記内部電源（１２）による前記ＵＰＳ装置（２１）の充電を制御し、および／または  前記ＩＰＣ（１、５０、１００、１０１）のシャットダウンおよび／または起動操作を制御する、  電源管理コントローラ（２８）を含む、製造方法。
【請求項１４】
請求項１〜１１のいずれか一項に記載のＩＰＣ（１、５０、１００、１０１）を製造するための請求項１３に記載の方法。
【請求項１５】
前記ＩＰＣ（１、５０、１００、１０１）は、通信ネットワークを通じて前記ＩＰＣ（１、５０、１００、１０１）に通信可能に結合された少なくとも１つの制御可能な自動化装置を制御するように設けられる、請求項１から１１のいずれか一項に記載のＩＰＣ（１、５０、１００、１０１）を含むオートメーションネットワーク。